(57)【要約】      （修正有）【課題】部品室の冷却効率を向上させることができる電子レンジを提供する。【解決手段】部品室１３及び調理室１５に区画され、前記部品室と貫通された部品室貫通部２１を有する本体ケーシング１０と、前記本体ケーシングに装着され、前記部品室を冷却するように前記部品室貫通部に空気を送風する吸気ファンと、前記吸気ファンを駆動するファンモータとを有するファン組立体５０と、前記部品室貫通部に装着され、前記吸気ファンにより送風された空気を前記部品室に備えられた発熱部品に案内する送風ガイドとを含む。【選択図】図１
2006052940.tif 000002
【特許請求の範囲】
【請求項１】
電子レンジにおいて、
部品室及び調理室を形成し、前記部品室と貫通された部品室貫通部を有する本体ケーシングと、
前記本体ケーシングに装着され、前記部品室を冷却するように前記部品室貫通部に空気を送風する吸気ファンと、前記吸気ファンを駆動するファンモータとを有するファン組立体と、
前記部品室貫通部に装着され、前記吸気ファンにより送風された空気を前記部品室に備えられた発熱部品に案内する送風ガイドとを含むことを特徴とする電子レンジ。
【請求項２】
前記送風ガイドは、前記部品室貫通部から前記部品室に鋭角をなすように下向きに傾くように備えられたガイド本体と、送風された空気が前記ガイド本体の両側に流出することを防止するように、前記ガイド本体の両側から上向きに突出した一対の補助ガイドとを含むことを特徴とする請求項１に記載の電子レンジ。
【請求項３】
前記送風ガイドは、前記ガイド本体が前記発熱部品に対応して所定の傾斜角を維持するように、前記ガイド本体を支持するストッパーをさらに含むことを特徴とする請求項２に記載の電子レンジ。
【請求項４】
前記ガイド本体及び前記ストッパーは、前記本体ケーシングから切取折曲されて形成されることを特徴とする、請求項３に記載の電子レンジ。
【請求項５】
前記本体ケーシングは、前記調理室と貫通された調理室貫通部と、前記調理室貫通部を通じて前記調理室内の空気を排出するように備えられた排出部とをさらに含み、
前記ファン組立体は、前記調理室貫通部を通じて前記調理室内の空気を前記排出部に送風する排気ファンをさらに含み、
前記ファンモータは、前記吸気ファン及び排気ファンの間に備えられ、前記吸気ファン及び排気ファンを駆動することを特徴とする請求項１に記載の電子レンジ。
【請求項６】
前記部品室貫通部及び前記調理室貫通部は、各々前記部品室及び前記調理室の上側に備えられ、
前記調理室貫通部から排出された空気が前記調理室貫通部に流入することを防止するように、前記部品室貫通部及び前記調理室貫通部の間に備えられた隔壁をさらに含むことを特徴とする請求項５に記載の電子レンジ。
【請求項７】
前記部品室に送風された空気が前記調理室に供給されるように、前記調理室と前記部品室との間の前記本体ケーシングには貫通孔が備えられることを特徴とする請求項６に記載の電子レンジ。
【請求項８】
前記ファン組立体の吸気ファン及び排気ファンのうちの少なくとも一つが、前記部品室貫通部及び前記排出部に対応して本来の位置から外れたとき、前記ファン組立体と干渉されるように前記本体ケーシングに備えられた干渉部を含むことを特徴とする請求項５に記載の電子レンジ。
【請求項９】
前記干渉部は、前記ファン組立体に近接した前記本体ケーシングから突出して形成されることを特徴とする請求項８に記載の電子レンジ。
【発明の詳細な説明】
【技術分野】
【０００１】
本発明は電子レンジに関し、より詳しくは、部品室を効果的に冷却するために構造を改善した電子レンジに関する。
【背景技術】
【０００２】
一般に、電子レンジは、食物を調理する調理室及び調理室に電磁波を照射できるように各種部品が配置された部品室を形成する本体ケーシングと、調理室を開閉するドアと、部品室の前方に備えられた操作パネルとを含む。そして、電子レンジのほとんどは、調理室内の食物の臭いなどが含まれた空気を排出したり、電子レンジが配置された室内空気を吸入して排出するなどの送風手段を含んでいる。
【０００３】
このような従来の電子レンジは、大韓民国公開特許第１０-２００４-００４７０７７号公報に開示された壁掛け型電子レンジのように、大容量の排気ファン及びファンモータを有する排気ファン組立体を装着して送風能力を向上させることができ、排気ファン組立体を回転させて排出孔が多様な方向に向かうように設置できるので、電子レンジの本体の外側に備えられた外部ダクトの形状によって排出方向を変更することができる。そして、このような従来の電子レンジは、部品室に設置された各種部品を冷却するための別途の送風ファンを備えている。
【特許文献１】大韓民国公開特許第１０-２００４-００４７０７７号公報
【発明の開示】
【発明が解決しようとする課題】
【０００４】
しかし、このような従来の電子レンジは、排気ファン組立体が室内空気を排出する用途として使用されており、部品室を冷却するために別途の送風ファンを使用しているが、このような排気ファン組立体が調理室内の空気を排出し、部品室に空気を送風して部品室内に装着された部品を冷却させるように構造を改善すれば、別途の送風ファンなどを装着する必要がないので効果的である。そして、部品室に送風された空気が部品室内に装着された部品のうちの高温の発熱部品に向かうようにガイドを備えれば、冷却効率がさらに向上する。
【０００５】
そこで、本発明の目的は、部品室の冷却効率を向上させることができる電子レンジを提供することにある。
【０００６】
また、本発明による他の目的は、一つのファンモータを利用して、部品室の冷却及び調理室内の空気を排出することができる電子レンジを提供することにある。
【課題を解決するための手段】
【０００７】
前記目的は、本発明によって、電子レンジにおいて、部品室及び調理室に区画され、前記部品室と貫通された部品室貫通部を有する本体ケーシングと、前記本体ケーシングに装着され、前記部品室を冷却するように前記部品室貫通部に空気を送風する吸気ファンと、前記吸気ファンを駆動するファンモータとを有するファン組立体と、前記部品室貫通部に装着され、前記吸気ファンにより送風された空気を前記部品室に備えられた発熱部品に案内する送風ガイドとを含むことを特徴とする電子レンジによって達成される。
【０００８】
ここで、前記送風ガイドは、前記部品室貫通部から前記部品室に鋭角をなすように下向きに傾くように備えられたガイド本体と、送風された空気が前記ガイド本体の両側に流出することを防止するように、前記ガイド本体の両側から上向きに突出した一対の補助ガイドとを含むことができる。
【０００９】
前記送風ガイドは、前記ガイド本体が前記発熱部品に対応して所定の傾斜角を維持するように、前記ガイド本体を支持するストッパーをさらに含むことができる。
【００１０】
前記ガイド本体及び前記ストッパーは前記本体ケーシングから切取折曲されて形成されることができる。
【００１１】
前記本体ケーシングは、前記調理室と貫通された調理室貫通部と、前記調理室貫通部を通じて前記調理室内の空気を排出するように備えられた排出部とをさらに含み、前記ファン組立体は、前記調理室貫通部を通じて前記調理室内の空気を前記排出部に送風する排気ファンをさらに含み、前記ファンモータは、前記吸気ファン及び排気ファンの間に備えられ、前記吸気ファン及び排気ファンを駆動することができる。
【００１２】
前記部品室貫通部及び前記調理室貫通部は、各々前記部品室及び前記調理室の上側に備えられ、前記調理室貫通部から排出された空気が前記調理室貫通部に送風されることを防止するように、前記部品室貫通部及び前記調理室貫通部の間に備えられた隔壁をさらに含むことができる。
【００１３】
前記部品室に送風された空気が前記調理室に供給されるように、前記調理室と前記部品室との間の前記本体ケーシングには貫通孔が備えられることができる。
【００１４】
前記ファン組立体の吸気ファン及び排気ファンのうちの少なくとも一つが、前記部品室貫通部及び前記排出部に対応して本来の位置から外れたとき、前記ファン組立体と干渉されるように前記本体ケーシングに備えられた干渉部を含むことができる。
【００１５】
前記干渉部は前記ファン組立体に近接した前記本体ケーシングから突出して形成されることができる。
【発明の効果】
【００１６】
本発明によれば、部品室の冷却効率を向上させることができる。また、吸気ファン及び排気ファンが備えられたファン組立体で、部品室の冷却と共に調理室内の空気を排出することができる。さらに、干渉部を備えることでファン組立体が誤った位置に設置されることを防止することができる。
【発明を実施するための最良の形態】
【００１７】
以下、図面を参照して、本発明について詳細に説明する。
【００１８】
図１乃至図５に示されているように、本発明による電子レンジ１は、食物などを調理する調理室１５、及び調理室１５に電磁波を照射できるように各種部品が配置された部品室１３を形成する本体ケーシング１０と、調理室１５を開閉するように本体ケーシング１０に回動可能に結合されたドア３と、部品室１３の前方に備えられて各種部品を制御する操作パネル５と、本体ケーシング１０に装着されて部品室１３を冷却するファン組立体５０と、ファン組立体５０によって送風された空気を案内する送風ガイド４０とを含む。
【００１９】
本体ケーシング１０は部品室１３と貫通された部品室貫通部２１を含む。本体ケーシング１０は調理室１５と貫通された調理室貫通部２３と、調理室貫通部２３を通じて調理室１５内の空気を排出するように備えられた排出部３１とをさらに含むことができる。本体ケーシング１０は、調理室１５及び部品室１３を形成し、部品室貫通部２１及び調理室貫通部２３が備えられた本体フレーム１１と、本体フレーム１１の左右側及び上側をカバーする本体カバー３５とをさらに含む。本体ケーシング１０にはファン組立体５０が本来の位置から外れたとき、ファン組立体５０と干渉されるように干渉部３８が備えられる。
【００２０】
本体フレーム１１は熱に強い金属材質で備えられることができるが、熱に強いプラスチックなどの材質で備えられることもできる。調理室１５と部品室１３との間に備えられた本体フレーム１１には、部品室１３に送風された空気が調理室１５に供給されるように貫通孔１９が備えられる。
【００２１】
調理室１５は食物などを収容できるように所定の空間を形成し、その上側には食物などから排出された臭いなどが含まれた空気を排出するように調理室貫通部２３が備えられる。
【００２２】
部品室１３は、調理室１５に電磁波を照射するマグネトロン１７及び高圧トランス１８のような部品を配置するように、所定の収容空間を形成する。マグネトロン１７及び高圧トランス１８は作動の際に高温の熱を発生する発熱部品であって、このような高温発熱部品から発生した熱を冷却させるために、部品室１３の上側には外部空気を吸入できる部品室貫通部２１が備えられる。
【００２３】
部品室貫通部２１は本体フレーム１１の上側に貫通形成されることができる。部品室貫通部２１には送風ガイド４０が装着され、後述するファン組立体５０の吸気ファン５１によって送風された空気を部品室１３に備えられた高温の発熱部品の方向に案内する。
【００２４】
調理室貫通部２３は本体フレーム１１の上側に貫通形成されることができる。部品室貫通部２１及び調理室貫通部２３の間には、調理室貫通部２３から排出された空気が調理室貫通部２３に送風されることを防止するように、隔壁２７が備えられる。
【００２５】
隔壁２７は本体フレーム１１及び本体カバー３５の間に挿入されて備えられる。隔壁２７は調理室貫通部２３から排出された空気が、後述するファン組立体５０の排気ファン６１によって排出部３１に排出されるように案内する。隔壁２７は本体フレーム１１及び本体カバー３５の間に前後方向に長く設置され、相互離隔する一対で備えられる。一対の隔壁２７の間には調理室１５を照明するためのランプ（図示せず）が設置され、ランプ（図示せず）に対応した本体フレーム１１の上側には、ランプ（図示せず）から発生した光が調理室１５を照らすように、光通過孔（図示せず）が備えられる。隔壁２７の前方には電子レンジ１が設置された室内の空気を吸入するように、吸入口が形成されたグリル２６が設置される。ここに、後述するファン組立体５０の排気ファン６１は隔壁２７によって案内され、調理室貫通部２３及びグリル２６から調理室１５内の空気及び室内空気を同時に排出する。
【００２６】
排出部３１は、本体ケーシング１０に調理室貫通部２３及びグリル２６を通じて調理室１５内の空気及び室内空気を排出するように、貫通されて備えられる。排出部３１は調理室１５内の空気及び室内空気を室外に排出するように、室外に延在して形成された外部ダクト（図示せず）と連結される。排出部３１は電子レンジ１が設置される建物の外部ダクト（図示せず）の形態に対応するために、複数個備えられることができる。つまり、建物の外部ダクト（図示せず）が電子レンジ１の上側に位置することもでき、電子レンジ１の後方に位置することもできる。ここに、本発明で一例として、外部ダクト（図示せず）が電子レンジ１の上側あるいは電子レンジ１の後方に位置することを考慮して、排出部３１を本体ケーシング１０の後方及び上側に備えた。つまり、排出部３１は、本体フレーム１１の上側後方に備えられた第１排出部３３と、本体カバー３５の後方に備えられた第２排出部３６とを含む。しかし、このような排出部３１は本体ケーシング１０の左右側、前方及び下側のうちの少なくとも一方にさらに備えられることも可能である。これにより、使用者は複数の排出部３１のうちのいずれか一つを建物の外部ダクト（図示せず）と連結させることができる。
【００２７】
本体カバー３５は本体フレーム１１の外側に逆Ｕ字状に備えられる。本体カバー３５は本体フレーム１１とスクリューなどにより結合され、上側には第２排出部３６が形成される。
【００２８】
ファン組立体５０は、部品室１３を冷却するように部品室貫通部２１に空気を送風する吸気ファン５１と、吸気ファン５１を駆動するファンモータ７１とを含む。ファン組立体５０は吸気ファン５１とファンモータ７１を間に置いて、調理室貫通部２３を通じて調理室１５内の空気を排出部３１に送風する排気ファン６１をさらに含むことができる。ファン組立体５０は、本体ケーシング１０の上側後方に、部品室貫通部２１及び排出部３１に対応して備えられる。ファン組立体５０は、本体フレーム１１と本体カバー３５との間、及び隔壁２７の後方領域に備えられる。ファン組立体５０は吸気ファン５１及び排気ファン６１のうちの少なくとも一つが、部品室貫通部２１及び排出部３１に対応して本来の位置から外れたとき、干渉部３８によって干渉されて本体ケーシング１０に設置されないようになる。
【００２９】
吸気ファン５１は、ファンモータ７１によって回転する吸気ブレード５３と、吸気ブレード５３の外側に備えられ、吸気ブレード５３によって送風された空気を部品室貫通部２１に向かうように備えられた吸気ファンカバー５５とを含む。吸気ファン５１はファンモータ７１の一側に部品室貫通部２１に対応して備えられる。
【００３０】
吸気ブレード５３はファンモータ７１によって回転するように複数個備えられ、ファンモータ７１の回転軸線を中心として円筒形状に配置される。
【００３１】
吸気ファンカバー５５は円筒形状に備えられ、吸気ブレード５３を収容する吸気カバー本体５６と、吸気ブレード５３の回転により発生した送風を集めて排出するように、円筒面上に貫通された吸気部５７と、ファンモータ７１と結合される反対方向の周囲空気を吸入するために貫通された吸気カバー貫通部５８とを含む。吸気ファンカバー５５は、吸気部５７が部品室貫通部２１に対して本来の位置から外れたとき、干渉部３８と干渉されることができる。吸気ファンカバー５５は後述するファンモータ支持台７３に対して一体で備えられることができる。しかし、吸気ファンカバー５５は後述するファンモータ支持台７３に対して着脱可能にスクリューなどで結合されることもできる。
【００３２】
吸気カバー本体５６は吸気ブレード５３の回転により発生した送風を吸気部５７に集めるために、吸気ブレード５３の回転方向に直径が次第に増加するように備えられる。ここに、吸気カバー本体５６は、吸気部５７が部品室貫通部２１に向かうように設置された場合にだけ干渉部３８と干渉を避けることができ、吸気部５７が部品室貫通部２１に向かわないように設置しようとする場合には、干渉部３８により干渉されて設置されないようになる。
【００３３】
吸気部５７は部品室貫通部２１に対応して吸気カバー本体５６から突出形成される。
【００３４】
排気ファン６１は、ファンモータ７１によって回転する排気ブレード６３と、排気ブレード６３の外側に備えられ、排気ブレード６３によって送風された空気を排出部３１に向かうように備えられた排気ファンカバー６５とを含む。排気ファン６１はファンモータ７１の他側に第１及び第２排出部３３、３６のうちのいずれか一つに対応して備えられる。
【００３５】
排気ブレード６３はファンモータ７１によって回転するように複数個備えられ、ファンモータ７１の回転軸線を中心として円筒形状に配置される。
【００３６】
排気ファンカバー６５は円筒形状に備えられ、排気ブレード６３を収容する排気カバー本体６６と、排気ブレード６３の回転により発生した送風を集めて排出するように、円筒面上に貫通された排気部６７と、ファンモータ７１と結合される反対方向の調理室貫通部２３及びグリル２６から空気を吸入するために貫通された排気カバー貫通部６８とを含む。排気ファンカバー６５は排気部６７が複数の排出部３１のうちのいずれか一つに向かうように、ファンモータ７１に対して着脱及び回転が可能に結合される。排気ファンカバー６５は後述するファンモータ支持台７３に対して着脱可能にスクリュー６９などで結合され、ファンモータ７１に対して離脱した状態で第１及び第２排出部３３、３６のうちのいずれか一つに向かうように回転させて、スクリュー６９で再び結合することができる。これによって、使用者は、排気部６７が外部ダクト（図示せず）の対応する排出部３１の方向に向かうように排気ファンカバー６５を回転させて、容易に組立てることができる。
【００３７】
排気カバー本体６６は、前述した吸気カバー本体５６と類似に、排気ブレード６３の回転により発生した送風を排気部６７に集めるために、排気ブレード６３の回転方向に直径が次第に増加するように備えられる。排気部６７は排出部３１に対応して吸気カバー本体５６から突出形成される。
【００３８】
ファンモータ７１は吸気ファン５１と排気ファン６１との間に備えられ、吸気ブレード５３及び排気ブレード６３を回転させる。ファンモータ７１は両側に備えられたファンモータ支持台７３によって支持され、吸気ファン５１及び排気ファン６１と結合される。
【００３９】
干渉部３８は、ファン組立体５０の吸気ファン５１及び排気ファン６１のうちの少なくとも一つが、部品室貫通部２１及び排出部３１に対応して本来の位置から外れたとき、ファン組立体５０と干渉されるように本体ケーシング１０に備えられる。干渉部３８はファン組立体５０に近接した本体ケーシング１０から突出形成されることができる。干渉部３８は、吸気ファン５１の吸気部５７が部品室貫通部２１に向かって配置されるように設置される場合には、吸気ファンカバー５５と干渉されず、吸気部５７が部品室貫通部２１を向かわないように設置される場合には、吸気ファンカバー５５と干渉される。干渉部３８はファン組立体５０の後方に位置した本体フレーム１１から前方に突き出されるように装着できる。しかし、干渉部３８はファン組立体５０の後方に位置した本体フレーム１１から前方に折り曲げられて形成できる。特に、干渉部３８はファン組立体５０の吸気ファン５１の後方に位置した本体フレーム１１から前方に突出形成されることができる。
【００４０】
送風ガイド４０は、部品室貫通部２１から部品室１３に鋭角をなすように下向きに傾くように備えられたガイド本体４１と、送風された空気がガイド本体４１の両側に流出することを防止するように、ガイド本体４１の両側から上向きに突出した一対の補助ガイド４３とを含む。送風ガイド４０は、ガイド本体４１が高温の発熱部品に対応して所定の傾斜角（Ａ）を維持するように、ガイド本体４１を支持するストッパー４５をさらに含むことができる。送風ガイド４０は、本体ケーシング１０の部品室貫通部２１に対応する本体ケーシング１０の本体フレーム１１から切取折曲されて形成されることができる。
【００４１】
ガイド本体４１は板状で備えられ、吸気ファン５１によって送風された空気を高温の発熱部品であるマグネトロン１７及び高圧トランス１８の方向に案内する。ガイド本体４１は部品室貫通部２１から部品室１３の方向に所定の傾斜角（Ａ）をなすように設置されるが、このような所定の傾斜角（Ａ）は鋭角（０度乃至９０度）をなすように備えられる。しかし、このような所定の傾斜角（Ａ）はほぼ３０度乃至６０度の間になるように備えられるのが好ましい。ガイド本体４１は部品室貫通部２１に対応する本体ケーシング１０から切取られた後、折り曲げられて形成されることができる。
【００４２】
補助ガイド４３は、ガイド本体４１の両側が上側に折り曲げられて形成される。補助ガイド４３はガイド本体４１の下側の幅が上側より狭く形成されるように、ガイド本体４１の下側にいくほどさらに広い幅で折り曲げられて形成される。これにより、送風される空気を高温の発熱部品へさらに集中的に案内することができる。
【００４３】
ストッパー４５はガイド本体４１の背面に接触可能に複数個備えられ、ガイド本体４１が所定の傾斜角（Ａ）以上の角度で折り曲げられることを防止する役割を果たす。ストッパー４５は本体ケーシング１０の本体フレーム１１から切取折曲されて形成される。本発明の実施例ではストッパー４５は４つ備えられ、ガイド本体４１の背面に接触して、送風される空気などによりガイド本体４１が所定の傾斜角（Ａ）以上に折り曲げられることを防止する。しかし、ストッパー４５はガイド本体４１の背面に接触可能に一つ備えられることができ、ボルト締結や溶接などの方法により、ガイド本体４１の背面及び部品室貫通部２１を形成する本体ケーシング１０に結合されることもできる。
【００４４】
このような構成によって、本発明による電子レンジに備えられた送風ガイド４０の機能及び概略的な空気循環過程について説明する。
【００４５】
まず、ファン組立体５０が作動すれば、吸気ファン５１によって部品室貫通部２１を通じて部品室１３に空気が送風される。そうすると、部品室貫通部２１から下側に形成された送風ガイド４０によって吸気ファン５１から送風された空気は、高温発熱部品であるマグネトロン１７及び高圧トランス１８の方向に向かうようになる。そうすると、送風された空気はマグネトロン１７及び高圧トランス１８を集中的に冷却させ、部品室１３を冷却した空気は貫通孔１９を通じて調理室１５に供給される。そして、調理室１５内の空気は排気ファン６１によって調理室貫通部２３を通じて排出部３１に排出される。そして、排気ファン６１によってグリル２６を通じて室内空気を同時に排出することができる。これにより、送風ガイド４０によって部品室１３内に高温発熱部品であるマグネトロン１７及び高圧トランス１８を集中的に冷却させて、冷却効率を向上させることができる。
【００４６】
そして、本発明による電子レンジのファン組立体が本体ケーシングに組立てられる過程を見てみると次の通りである。
【００４７】
まず、外部ダクト（図示せず）の対応する排出部３１を選択する。そして、選択された排出部３１に対応してファン組立体５０の排気ファンカバー６５を回転させて組立てる。その後、本体フレーム１１の上側に部品室貫通部２１及び選択された排出部３１に対応してファン組立体５０を装着する。この時、ファン組立体５０が部品室貫通部２１及び選択された排出部３１に対応して本来の位置に配置されれば、ファン組立体５０は干渉部３８と干渉されないため、ファン組立体５０は本体ケーシング１０に装着可能になる。しかし、ファン組立体５０が部品室貫通部２１及び選択された排出部３１に対応して本来の位置に配置されないと、ファン組立体５０は干渉部３８と干渉されて装着されない。そして、ファン組立体５０は本体ケーシング１０とスクリューなどにより結合されることができる。
【００４８】
このように、本発明による電子レンジは、送風ガイドによって部品室内に備えられた高温発熱部品を集中的に冷却させて、冷却効率を向上させることができる。そして、吸気ファン及び排気ファンが備えられたファン組立体で、部品室の冷却と共に調理室内の空気を排出することができ、グリルを通じて室内空気を同時に排出することもできる。また、干渉部を備えることによって、ファン組立体が誤った位置に設置されることを防止することができる。
【図面の簡単な説明】
【００４９】
【図１】本発明による電子レンジの分解斜視図である。
【図２】本発明による電子レンジの部品室貫通部の拡大斜視図である。
【図３】図１の電子レンジのガイド部材を示した側面図である。
【図４】図１の電子レンジのファン組立体の部分分解斜視図である。
【図５】本発明による電子レンジにファン組立体が装着された斜視図である。
【符号の説明】
【００５０】
１０  本体ケーシング
１１  本体フレーム
１３  部品室
１７  マグネトロン
１８  高圧トランス
２１  部品室貫通部
３１  排出部
３８  干渉部
４０  送風ガイド
４１  ガイド本体
４５  ストッパー
５０  ファン組立体
５１  吸気ファン
５５  吸気ファンカバー
５７  吸気部
６５  排気ファンカバー
７１  ファンモータ
【図１】
2006052940.tif 000003
【図２】
2006052940.tif 000004
【図３】
2006052940.tif 000005
【図４】
2006052940.tif 000006
【図５】
2006052940.tif 000007